(57)【要約】  本発明は、異なるオペレーションドメイン間をローミングするユーザにマルチキャスト／ブロードキャストサービスを提供する解決法を提供する。特に、ユーザに、ホームマルチキャスト／ブロードキャストサーバへの連絡を可能にする手段を提供することを提案する。この手段は、ユーザによってトリガされるリクエストであっても良い。このリクエストは、訪問先オペレーションドメインを識別するネットワーク識別子を含み、この識別子は、マルチキャスト／ブロードキャストサーバに提供される。マルチキャスト／ブロードキャストサーバは、訪問先オペレーションドメインにおいてマルチキャスト／ブロードキャストサービスのプロビジョン用のルールとユーザによってトリガされるリクエストとを検討して、訪問先オペレーションドメインに存在するユーザに少なくとも１つのマルチキャスト／ブロードキャストサービスを提供するプロビジョン方法を決定する。また、マルチキャスト／ブロードキャストサーバは、そのプロビジョン方法に従って、訪問先オペレーションドメインで少なくとも１つのマルチキャスト／ブロードキャストサービスにアクセスするための第２のパラメータセットを決定し、この第２のパラメータセットをユーザに通知する。【選択図】  なし
2008544662.tif 000002
【特許請求の範囲】
【請求項１】
マルチキャスト／ブロードキャストサービスをユーザノード（５０）へ提供するホームオペレーションドメイン（ホームＯＤ）を有するオペレーションドメイン間で、マルチキャスト／ブロードキャストサービスへアクセスするユーザノード（５０）がローミングするための方法であって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記方法は、
前記マルチキャスト／ブロードキャストサーバ（４０）が、前記訪問先オペレーションドメイン（訪問先ＯＤ）において少なくとも１つのマルチキャスト／ブロードキャストサービスを提供するために、前記訪問先オペレーションドメインに存在する前記ユーザノード（５０）によってトリガされるリクエストを受信し（Ｓ２１）、
前記マルチキャスト／ブロードキャストサーバ（４０）が、前記訪問先オペレーションドメイン（訪問先ＯＤ）における前記マルチキャスト／ブロードキャストサービスのプロビジョン用のルールと、前記ユーザノード（５０）によってトリガされるリクエストとを検討することで、前記訪問先オペレーションドメイン（訪問先ＯＤ）において前記ユーザノード（５０）へ前記少なくとも１つのマルチキャスト／ブロードキャストサービスを提供するためのプロビジョン方法を決定し（Ｓ２２、Ｓ２３）、
前記マルチキャスト／ブロードキャストサーバ（４０）が、前記プロビジョン方法に従って、前記訪問先オペレーションドメイン（訪問先ＯＤ）において前記少なくとも１つのマルチキャスト／ブロードキャストサービスへアクセスするための第２のパラメータセットを判定し（Ｓ２４）、
前記マルチキャスト／ブロードキャストサーバ（４０）が、前記第２のパラメータセットについて前記ユーザノード（５０）へ通知する（Ｓ２５）
ことを特徴とする方法。
【請求項２】
前記訪問先オペレーションドメインにおいて前記少なくとも１つのマルチキャスト／ブロードキャストサービスを提供するために、前記訪問先オペレーションドメインに存在する前記ユーザノード（５０）によってトリガされる前記リクエストは、前記訪問先オペレーションドメインを識別するネットワーク識別子を含んでいる
ことを特徴とする請求項１に記載の方法。
【請求項３】
前記マルチキャスト／ブロードキャストサーバは、ホームオペレーションドメインに配置されている
ことを特徴とする請求項１に記載の方法。
【請求項４】
前記訪問先オペレーションドメインにおいて前記少なくとも１つのマルチキャスト／ブロードキャストサービスを提供するために、前記訪問先オペレーションドメインに存在する前記ユーザノードによってトリガされる前記リクエストは、前記ユーザノードあるいは前記訪問先オペレーションドメインによって生成される
ことを特徴とする請求項１に記載の方法。
【請求項５】
前記リクエストのトリガは、シグナリング、確立されたデータ接続、あるいは情報インタフェースによって実行される
ことを特徴とする請求項１乃至４のいずれか１項に記載の方法。
【請求項６】
前記リクエストは、前記少なくとも１つのマルチキャスト／ブロードキャストサービスが、前記マルチキャスト／ブロードキャストサーバに記憶されているあるいは前記ユーザノードから受信されることに関する、ユーザが関心を持っているデータのリストによって拡張される
ことを特徴とする請求項１乃至５のいずれか１項に記載の方法。
【請求項７】
前記プロビジョン方法は、ユニキャスト、マルチキャスト、あるいはブロードキャスト送信によって実行される
ことを特徴とする請求項１に記載の方法。
【請求項８】
前記プロビジョン方法は、データのストリーミングあるいはデータのダウンロードによって実行される
ことを特徴とする請求項１または７に記載の方法。
【請求項９】
前記訪問先オペレーションドメイン（訪問先ＯＤ）における前記マルチキャスト／ブロードキャストサービスのプロビジョン用のルールは、前記オペレーションドメインが協定を締結しているルールである
ことを特徴とする請求項１に記載の方法。
【請求項１０】
前記マルチキャスト／ブロードキャストサービスのプロビジョン用のルールは、静的に記憶されている、あるいは前記マルチキャスト／ブロードキャストサービスのプロビジョン用のルールは、動的に受信される
ことを特徴とする請求項９に記載の方法。
【請求項１１】
前記第２のパラメータセットは、前記訪問先オペレーションドメインにおいて前記マルチキャスト／ブロードキャストサービスへアクセスするためのローカル設定のコンフィグレーション用のコンフィグレーションパラメータセットである
ことを特徴とする請求項１に記載の方法。
【請求項１２】
前記第２のパラメータセットは、新規のパラメータセット、あるいは更新されている第１のパラメータセットである
ことを特徴とする請求項１１に記載の方法。
【請求項１３】
前記第２のパラメータセットは、追加の情報を含んでいる
ことを特徴とする請求項１１または１２に記載の方法。
【請求項１４】
マルチキャスト／ブロードキャストサービスをユーザノード（５０）へ提供するホームオペレーションドメイン（ホームＯＤ）を有するオペレーションドメイン間で、マルチキャスト／ブロードキャストサービスへアクセスするユーザノード（５０）がローミングするための方法であって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記方法は、
前記訪問先オペレーションドメイン（訪問先ＯＤ）に存在するユーザノード（５０）が、前記訪問先オペレーションドメイン（訪問先ＯＤ）において少なくとも１つのマルチキャスト／ブロードキャストサービスを提供するための前記マルチキャスト／ブロードキャストサーバ（４０）へリクエストをトリガし（Ｓ３１）、
前記ユーザノード（５０）が、前記少なくとも１つのマルチキャスト／ブロードキャストサービスへアクセスするために前記第１のパラメータセットを使用するための第２のパラメータセットを前記マルチキャスト／ブロードキャストサーバ（４０）から受信し（Ｓ３２、Ｓ３３）、
前記第２のパラメータセットは、前記ユーザノード（５０）のリクエストと、マルチキャスト／ブロードキャストサービスのプロビジョンに関する前記訪問先オペレーションドメイン（訪問先ＯＤ）のルールに基づいている
ことを特徴とする方法。
【請求項１５】
前記ユーザノード（５０）は、前記マルチキャスト／ブロードキャストサーバへ連絡するための連絡パラメータを有している
ことを特徴とする請求項１４に記載の方法。
【請求項１６】
前記訪問先オペレーションドメインにおいて前記少なくとも１つのマルチキャスト／ブロードキャストサービスを提供するために、前記訪問先オペレーションドメインに存在する前記ユーザノードによってトリガされる前記リクエストは、前記ユーザノードによって生成される
ことを特徴とする請求項１４に記載の方法。
【請求項１７】
前記リクエストのトリガは、シグナリング、確立されたデータ接続、あるいは前記ユーザノードからの情報インタフェースによって実行される
ことを特徴とする請求項１４または１６に記載の方法。
【請求項１８】
前記ユーザノードは、前記マルチキャスト／ブロードキャストサービスのリストを含む前記リクエストを送信する
ことを特徴とする請求項１４、１６または１７のいずれか１項に記載の方法。
【請求項１９】
前記ユーザノードは、前記マルチキャスト／ブロードキャストサービスを、ユニキャスト、マルチキャスト、あるいはブロードキャスト送信によって受信する、あるいは、前記マルチキャスト／ブロードキャストサーバで決定されるプロビジョン方法に依存するデータのストリーミングあるいはダウンロードによって受信する
ことを特徴とする請求項１４に記載の方法。
【請求項２０】
前記第２のパラメータセットは、前記訪問先オペレーションドメインにおいて前記マルチキャスト／ブロードキャストサービスへアクセスするためのローカル設定のコンフィグレーション用のコンフィグレーションパラメータセットである
ことを特徴とする請求項１４に記載の方法。
【請求項２１】
前記第２のパラメータセットは、新規のパラメータセット、あるいは更新されている第１のパラメータセット、あるいは前記第１のパラメータセットを使用するための指示である
ことを特徴とする請求項２０に記載の方法。
【請求項２２】
前記第２のパラメータセットは、前記第１のパラメータセットを置換する、あるいは、前記第１のパラメータセットは保存され、かつ非アクティブに設定され、かつ前記第２のパラメータセットは使用するために記憶される
ことを特徴とする請求項２０または２１に記載の方法。
【請求項２３】
マルチキャスト／ブロードキャストサービスをユーザノード（５０）へ提供するホームオペレーションドメイン（ホームＯＤ）を有するオペレーションドメイン間でローミングし、マルチキャスト／ブロードキャストサービスへアクセスするユーザノード（５０）をサポートするように構成されているマルチキャスト／ブロードキャストサーバ（４０）であって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記マルチキャスト／ブロードキャストサーバ（４０）は、
前記訪問先オペレーションドメイン（訪問先ＯＤ）において少なくとも１つのマルチキャスト／ブロードキャストサービスを提供するために、前記訪問先オペレーションドメインに存在する前記ユーザノード（５０）によってトリガされるリクエストを受信するための受信部（４１）と、
前記訪問先オペレーションドメイン（訪問先ＯＤ）において前記ユーザノード（５０）へ前記少なくとも１つのマルチキャスト／ブロードキャストサービスを提供するためのプロビジョン方法を決定するための決定ユニット（４２）と、
前記プロビジョン方法に従って、前記訪問先オペレーションドメイン（訪問先ＯＤ）において前記少なくとも１つのマルチキャスト／ブロードキャストサービスへアクセスするための第２のパラメータセットを判定する評価ユニット（４４）と、
前記第２のパラメータセットについての情報を前記ユーザノード（５０）へ通知する送信ユニット（４５）とを備え、
前記決定ユニットは、前記訪問先オペレーションドメイン（訪問先ＯＤ）におけるマルチキャスト／ブロードキャストサービスのプロビジョン用のルール（４３）と、前記ユーザノード（５０）によってトリガされる前記リクエストとを検討するように構成されている
ことを特徴とするマルチキャスト／ブロードキャストサーバ（４０）。
【請求項２４】
マルチキャスト／ブロードキャストサービスをユーザノード（５０）へ提供するホームオペレーションドメイン（ホームＯＤ）を有するオペレーションドメイン間で、ローミングし、マルチキャスト／ブロードキャストサービスへアクセスするように構成されているユーザノード（５０）であって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記ユーザノード（５０）は、
前記訪問先オペレーションドメイン（訪問先ＯＤ）において少なくとも１つのマルチキャスト／ブロードキャストサービスを提供するための前記マルチキャスト／ブロードキャストサーバ（４０）へリクエストをトリガするためのトリガ部（５１）と、
前記マルチキャスト／ブロードキャストサーバ（４０）から、第２のパラメータセットを受信するための受信部（５２）と、
前記受信した第２のパラメータセットに従って、当該ユーザノード（５０）で、前記第１のパラメータセットを構成するための構成部（５３）と、
マルチキャストサービスへアクセスするためのアクセス部（５４）と
を備えることを特徴とするユーザノード（５０）。
【請求項２５】
マルチキャスト／ブロードキャストサービスをユーザノード（５０）へ提供するホームオペレーションドメイン（ホームＯＤ）を有するオペレーションドメイン間でローミングし、マルチキャスト／ブロードキャストサービスへアクセスするユーザノード（５０）をサポートするように構成されているシステムであって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記システムは、
請求項１に従う方法を実行する、請求項２３に記載のマルチキャスト／ブロードキャストサーバ（４０）と、
請求項１４に従う方法を実行する、請求項２４に記載のユーザノード（５０）と、
前記ユーザ（５０）と、前記マルチキャスト／ブロードキャストサーバ（４０）間で、情報（６１、６２、６４、６５）を交換するためのインタフェースと
を備えていることを特徴とするシステム。
【発明の詳細な説明】
【技術分野】
【０００１】
本発明の技術分野
本発明は、無線通信ネットワークのオペレーションドメイン間をローミングするユーザ用のマルチキャスト／ブロードキャストサービスの提供に関するものである。
【０００２】
背景
マルチキャスト／ブロードキャストは、情報源から同じデータの１つのコピーをアドレスに送信し、そのアドレスからデータを複数の受信者に配信することを可能にするサービスである。マルチキャスト／ブロードキャストでは、ネットワーク内のどのリンク上もメッセージの１つのコピーしか通過せず、そのメッセージのコピーは、経路が分岐する所でだけ生成される。ネットワークの観点からは、マルチキャスト／ブロードキャストは、全体的な帯域幅の消費を格段に減少させる。その理由は、データが終端システムではなくて、ネットワーク内の適切な地点で複製されるからである。更に、マルチキャストメッセージを送信しているサーバは、１つのセッションしか管理する必要がない。
【０００３】
例えば、インターネットやその他のＩＰベースのバックボーンネットワークのような固定ネットワークと、汎用パケット無線システム（Ｇｅｎｅｒａｌ  Ｐａｃｋｅｔ  Ｒａｄｉｏ  Ｓｙｓｔｅｍ：ＧＰＲＳ）やユニバーサル移動電気通信システムＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のような移動ネットワークとの間のネットワーク相互のマルチキャスティングが現在開発されている。その理由は、特に、無線ネットワークでは、新しい課題が発生しているからである。この課題には、例えば、エンドユーザの移動性及びエアインタフェースでの移動ネットワークの送信帯域幅の狭さがあるが、固定ネットワークに比べて、無線インタフェース上でのパケット損失に起因する信頼性の低さもある。
【０００４】
固定ネットワークと、汎用パケット無線システム（ＧＰＲＳ）やユニバーサル移動通信システムＵＭＴＳのような移動ネットワークとの間のネットワーク相互のマルチキャスティングについて、図１に示す汎用パケット無線システムＧＰＲＳネットワークの実際のマルチメディアブロードキャスト／マルチキャスト（ＭＢＭＳ）アーキテクチャに従って、以下に提示する。
【０００５】
ＧＰＲＳは、回線交換ネットワークである移動通信用グローバルシステムＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）にパケット交換機能を拡張するものである。ＧＰＲＳでは、ユーザは、常時オンライン接続が可能であり、料金は実際のデータ転送分だけ支払えば良い。新しい要件を満足するために、ＧＳＭにいくつかの変更が導入され、他の新規の論理ノードとともに、在圏ＧＰＲＳサポートノード（Ｓｅｒｖｉｎｇ  ＧＰＲＳ  Ｓｕｐｐｏｒｔ  Ｎｏｄｅ：ＳＧＳＮ）とゲートウェイＧＰＲＳサポートノード（Ｇａｔｅｗａｙ  ＧＰＲＳ  Ｓｕｐｐｏｒｔ  Ｎｏｄｅ：ＧＧＳＮ）が導入されている。ＧＧＳＮの主な機能には、例えば、インターネットサービスプロバイダ（ＩＳＰ）への接続を提供する、外部ＩＰパケットネットワークとの相互作用を含んでいる。マルチキャスト／ブロードキャストサービスを提供するために、ＧＧＳＮは、移動ネットワークまたは外部ネットワークに配置されているコンテンツプロバイダからコンテンツを受信するブロードキャストマルチキャストサービスセンタ（ＢＭ−ＳＣ）と通信することができ、これにより、ＢＭ−ＳＣエンティティは、例えば、ベアラ確立及びデータ転送のようなマルチキャスト／ブロードキャストのプロビジョンを担当する。マルチキャスト／ブロードキャストを提供する別の可能性は、マルチキャストブロードキャストソースによるものがあり、このマルチキャストブロードキャストソースは、移動ネットワークまたは外部ネットワークに配置することができる。ＳＧＳＮは、地理的なＳＧＳＮサービスエリア内に物理的に存在するすべてのＧＰＲＳ加入者にサービスを提供する。ＳＧＳＮは、移動局に向けられている着信ＩＰパケットを転送する。新規の論理ノードに加えて、ノード間に新規なインタフェースが、図１に示すように定義されている。
【０００６】
同様のノード及びインタフェースは、ＵＭＴＳのような次世代無線ネットワークでも使用される。
【０００７】
無線ネットワークにマルチキャスト／ブロードキャストを導入する際には、移動ネットワークに関連する問題、とりわけ、エンドユーザの移動性及びエアインタフェースにおける移動ネットワークの送信帯域幅の狭さに対処しなければならない。
【０００８】
特に、ユーザの移動性は、種々の開発方向に影響を及ぼす。
【０００９】
例えば、ユーザの移動に起因して、カスタマにサービスを提供するためには、異なるネットワークが構築されることになる。それゆえ、オペレータ間のネットワーク協調動作に依存して、加入者に、はるかに広いサービスエリアを提供する可能性が与えられている。
【００１０】
この機能はローミングと呼ばれる。ローミングは、管理上及び技術上の制約が満足する場合に提供されても良い。管理上の観点からは、例えば、課金、サービス利用協定のような問題は、各自のオペレーションドメインでサービスを提供する異なるオペレータ間で解決されなければならない。技術上の観点からは、いくつかの問題は、通話料の転送やネットワーク間での加入者情報の転送等の管理上の問題と因果関係がある。ネットワーク間での位置データの転送や共通のアクセスインタフェースの存在等の他の問題は、ローミングを可能にするために必要である。
【００１１】
ユーザが移動してもサービスにアクセスし続けることができるローミングは、ある条件が満足される場合にだけ可能であることに注意すべきである。第１に、オペレーションドメイン及びそのオペレータと他のオペレーションドメイン及びそのオペレータとの相互間で通信しなければならない。このために、いくつかの標準化インタフェースが定義されている。それを用いて、いわゆるサービスレベルアグリーメントＳＬＡ（Ｓｅｒｖｉｃｅ  Ｌｅｖｅｌ  Ａｇｒｅｅｍｅｎｔ）が転送されても良い。第２に、ユーザは、異なるネットワーク内でサービスにアクセスする可能性を有さなければならない。
【００１２】
よくある実践では、ユーザは、例えば、ホームＰＬＭＮ（Ｐｕｂｌｉｃ  Ｌａｎｄ  Ｍｏｂｉｌｅ  Ｎｅｔｗｏｒｋ：公衆地上移動通信ネットワーク）等のしばしばホームオペレーションドメインと呼ばれる、１つのオペレーションドメインと加入関係を有している。ユーザは、通常は、ホームオペレーションドメインでサービスにアクセスする。アクセスに対する様々なサービスは、加入に依存する。
【００１３】
また、国内ローミングと国際ローミングとの区別は、オペレーションドメインが同一の国に属するかそれとも異なる国に属するか依存して行われる。
【００１４】
ＧＰＲＳやＵＭＴＳ等の移動通信ネットワークは、ネットワークインフラストラクチャ上でコンピュータ機器を介して、音声、データ及びマルチメディア等のサービスを提供することを目標としている。特に、ユーザに、マルチキャストまたはブロードキャストするサービスのプロビジョンは、これらのネットワークの重要な進化である。以下では、マルチメディアブロードキャスト／マルチキャストサービスに対して、略語ＭＢＭＳを使用する。
【００１５】
現在、マルチキャスト／ブロードキャストサービスのプロビジョンをサポートするメカニズムが存在する。ＭＢＭＳサービスは、一時移動体グループ識別子ＴＭＧＩ（Ｔｅｍｐｏｒａｒｙ  Ｍｏｂｉｌｅ  Ｇｒｏｕｐ  Ｉｄｅｎｔｉｆｉｅｒ）を使用して、１つのネットワーク内で区別される。ＴＭＧＩは、ＭＢＭＳサービスを世界中に提供するＭＢＭＳベアラを固有に識別する。ＴＭＧＩは、各ネットワーク内で、特定のサービスに関してＴＭＧＩを固有に定義することが可能な方法で構造化されている。ＴＭＧＩについては、以下で、より詳細に記述する。
【００１６】
しかしながら、ＭＢＭＳ  ＵＥがＭＢＭＳ使用可能な別のネットワーク内に移動（ローミング）する場合、ＭＢＭＳ  ＵＥはアクティブなＭＢＭＳ送信を受信ことが可能であり、訪問先ネットワークがそのサービスをサポートする場合には、ユーザはそのサービスへのアクセス方法を知らなければならない。訪問先ネットワークに訪問しているユーザにホームＭＢＭＳサービスを提供するためには、訪問先ネットワークはＭＢＭＳサービスをアナウンスしなければならず、また、自身のネットワークのサービスポートフォリオのほかに他のネットワークのＭＢＭＳサービスに対するＭＢＭＳ通知を送信する。その結果として、ＭＢＭＳローミングは、場合によっては、全サービスプロバイダの全サービスがすべての移動ネットワークを通して提供されるときだけ可能である。
【００１７】
それゆえ、ローミングを提供するためには、ＭＢＭＳ機能は、すべてのネットワークで必要とされる。従って、訪問先移動ネットワークが、ＭＢＭＳ機能を全くサポートしない場合またはＭＢＭＳローミングをサポートしない場合、ホームネットワークでＭＢＭＳに加入していて、かつ訪問先移動ネットワークに訪れているユーザに、ＭＢＭＳサービスを提供することは不可能である。
【００１８】
現在の解決法では、ネットワークがＭＢＭＳ機能を全く提供しない場合、ＭＢＭＳ  ＵＥがそのネットワーク内をローミングしている場合、ＭＢＭＳサービスのローミングは機能しない。例えば、ユーザは、例えば、外国でマルチキャスト（ＭＣ）／ブロードキャスト（ＢＣ）サービスを外国語で受信することはできるかもしれないが、ユーザに自身（ホーム）のＭＣ／ＢＣサービスを母国語で提供することは不可能である。
【００１９】
更に、技術上の機能の提供に加えて、ローミングポリシーの合意も提供されるべきである。移動ネットワークはＭＢＭＳ機能を実装しているが、オペレータが、例えば、自ユーザ及び自サービス用にＭＢＭＳリソースを確保するために、訪問中の加入者に対してＭＢＭＳの使用を許可しないことはあり得るかもしれない。その結果、この場合もまた、ローミング解決法は機能しないことになる。
【００２０】
本発明の要約及び説明
それゆえ、本発明の目的は、オペレーションドメインを変更するモバイルユーザに、ホームマルチキャスト／ブロードキャストサービスのローミングを提供する解決法を提供することである。
【００２１】
本発明は、請求項１、１４、２３、２４、２５で開示される。有利な実施形態については、対応する明細書部分に開示される従属請求項で説明される。
【００２２】
本発明の請求項１に関して、マルチキャスト／ブロードキャストサーバで実行される方法は、ローミングしているユーザにホームマルチキャスト／ブロードキャストサービスのローミングの提供するための方法を提供する。訪問先オペレーションドメインにおいて少なくとも１つのマルチキャスト／ブロードキャストサービスを提供するために、訪問先オペレーションドメインに存在するユーザノードによってトリガされるリクエストの受信時、マルチキャスト／ブロードキャストサーバは、訪問先オペレーションドメイン内のマルチキャスト／ブロードキャストサービスのプロビジョン用のルールと、ユーザノードによってトリガされるリクエストとを検討することで、訪問先オペレーションドメイン内のユーザノードに少なくとも１つのマルチキャスト／ブロードキャストサービスを提供するプロビジョン方法を決定する。この決定に従って、マルチキャスト／ブロードキャストサーバは、そのプロビジョン方法に従って、訪問先オペレーションドメインで少なくとも１つのマルチキャスト／ブロードキャストサービスへアクセスするための第２のパラメータセットを判定し、かつマルチキャスト／ブロードキャストサーバはユーザノードにこの第２のパラメータセットを通知する。
【００２３】
更に請求項１４に従えば、訪問先オペレーションドメインをローミング中に、マルチキャスト／ブロードキャストサービスにアクセスを希望するユーザに対する方法が提案される。訪問先オペレーションドメイン内に存在するユーザが、訪問先オペレーションドメインにおいて少なくとも１つのマルチキャスト／ブロードキャストサービスの提供するためのマルチキャスト／ブロードキャストサーバへリクエストをトリガする。続いて、ユーザは、マルチキャスト／ブロードキャストサーバから、少なくとも１つのマルチキャスト／ブロードキャストサービスにアクセスするための第１のパラメータを使用するために第２のパラメータセットを受信する。
【００２４】
その結果として、本発明の概念では、請求項２２に従うマルチキャスト／ブロードキャストサーバが提案される。このサーバは受信部４１を有し、この受信部４１は、訪問先オペレーションドメインにおいて少なくとも１つのマルチキャスト／ブロードキャストサービスを提供するための、訪問先オペレーションドメインに存在するユーザによってトリガされるリクエストを受信する。更に、このサーバは決定部４２を有し、この決定部４２は、訪問先オペレーションドメイン内のユーザに少なくとも１つのマルチキャスト／ブロードキャストサービスを提供するためのプロビジョン方法を決定する。ここで、この決定部は、訪問先オペレーションドメインにおいてマルチキャスト／ブロードキャストサービスのプロビジョン用のルール４３と、ユーザによってトリガされるリクエストとを検討するように構成されている。更に、評価部４４が提供され、この評価部４４は、プロビジョン方法に従って訪問先オペレーションドメインで少なくとも１つのマルチキャスト／ブロードキャストサービスにアクセスするための第２のパラメータセットを判定する。ユーザに第２のパラメータセットについての情報を送信する送信部４５もまた予見される。
【００２５】
その結果、請求項２３に従うユーザノードも、以下の構成部とともに提案される。訪問先オペレーションドメインにおいて少なくとも１つのマルチキャスト／ブロードキャストサービスを提供するためのマルチキャスト／ブロードキャストサーバへリクエストをトリガするトリガ部５１が提案される。マルチキャスト／ブロードキャストサーバから第２のパラメータセットを受信するための受信ユニット（５２）が更に提案される。構成部５３が、受信している第２のパラメータリストに従って、ユーザ側でパラメータリストを構成するために予見され、アクセス部５４は、マルチキャストサービスにアクセスするために予見される。
【００２６】
また、請求項２５に従うシステムを有することも提案される。このシステムは、請求項１に記載の方法を実行する、請求項２３に記載のマルチキャスト／ブロードキャストサーバを有し、更にこのシステムは、請求項１４に記載の工程を実行する、請求項２４に記載のユーザノードを有し、またこのシステムは、ユーザノードとマルチキャスト／ブロードキャストサーバとの間で情報を交換するためのインタフェースを有する。
【００２７】
本発明の利点は、オペレーションドメインを変更し、かつ自身がホームネットワークドメインで加入しているマルチキャスト／ブロードキャストサービスのプロビジョンをリクエストするモバイル（移動体）ユーザに、マルチキャスト／ブロードキャストサービスのローミングの解決法を提供することである。
【００２８】
本発明の別の利点は、オペレーションドメインが常に他のオペレーションドメインの全サービスを把握し、かつサポートする必要がないので、オペレーションドメインの管理が簡単でかつより容易になることである。本発明は、ユーザが関与するマルチキャスト／ブロードキャストサーバが必要なサービスのプロビジョンを決定することを提案する。
【００２９】
また、有利な実施形態は、従属請求項で説明される。
【００３０】
以下では、当業者に本発明を詳細かつ完全に理解してもらうために、本発明の好適な例を詳細に説明するが、これらの詳細な実施形態は本発明の例の役割を果たすだけであり、限定することが意図されるものではない。以下の記載は、添付の図面を参照する。
【００３１】
本発明においては、用語「部（part）」、「ノード」、「モジュール」、「サーバ」は、通信ネットワーク内で所定の機能を提供するハードウェアとソフトウェアの任意の適切な組み合わせを示していることに注意すべきである。それゆえ、これらの用語は、一般的には、ネットワークのいくつかの物理的エンティティにまたがって展開していてもよい論理エンティティを示しているが、１つの物理的な場所に存在する物理的エンティティを示しても良い。
【００３２】
本発明においては、用語「ユーザ」は、ユーザ装置及び人間の入力を示していることに注意すべきである。ここで、ユーザ装置は、ハードウェアとソフトウェアの組み合わせである。ユーザ装置は、例えば、マルチキャストグループの一部になるための初期設定のような入力を行う人間により使用され設定（構成）される。しかしながら、ユーザ装置は、人間の関与なしで必要な工程（ステップ）を実行するように構成されている装置でも良い。但し、以下では、装置と人間とを区別しないで、用語「ユーザ」と「ユーザ装置」は、同じ意味を有すると見なされるべきである。
【００３３】
本発明の可能な技術的実現の記載は、図１に従うネットワークアーキテクチャに基づいている。それゆえ、以下の記載では、マルチキャスト／ブロードキャストサーバはＢＭ−ＳＣと呼ぶことにする。しかしながら、このことは、本発明を限定すると見なされるべきではない。特に、本発明では、マルチキャスト／ブロードキャストサーバという用語は、訪問先オペレーションドメインでマルチキャスト／ブロードキャストサービスのプロビジョンに関する情報を有する点でユーザが関与するハードウェアとソフトウェアの任意の適切な組み合わせを示していることに注意すべきである。マルチキャスト／ブロードキャストサーバは、ホームオペレーションドメインに配置されてもよいが、本実施形態だけに限定されるべきでない。マルチキャスト／ブロードキャストサーバは、例えば、オペレーションドメインに関係なく配置されている個別ユニットであっても良い。
【００３４】
通信ネットワークは、例えば、ＧＳＭ、ＧＰＲＳ（汎用パケット交換無線システム）若しくはＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ユニバーサル移動電気通信システム）、あるいは、例えば、ＥＤＧＥ、ＷＣＤＭＡ、ＣＤＭＡ２０００のような任意の３Ｇシステムに準拠して動作する移動通信ネットワーク等の移動通信ネットワークが好ましい。しかしながら、本発明は、メッセージングまたはストリームのマルチキャストまたはブロードキャストを提供するどんな通信ネットワークにも適用可能である。
【００３５】
現在のところ、ホームオペレーションネットワークのマルチキャスト／ブロードキャストサービスにアクセスするためには、ユーザは、ネットワーク上に接続を確立しなければならない。マルチキャスト用の接続の確立とブロードキャスト用の接続の確立との間には、いくらかの違いがある。マルチキャスト用の接続の確立の場合、ユーザは、提供されるマルチキャストサービスについて、ホームネットワークからアナウンスメッセージを受信する。ユーザは、どのサービスを受けたいかを決定し、次のステップでは、ユーザが特定のマルチキャストグループに参加または脱退したいこと示すために使用されるインターネットグループ管理プロトコル（Ｉｎｔｅｒｎｅｔ  Ｇｒｏｕｐ  Ｍａｎａｇｅｍｅｎｔ  Ｐｒｏｔｏｃｏｌ：ＩＧＭＰ）と呼ばれるプロトコルを用いて、ユーザをマルチキャストグループに参加させる手順が開始される。ＩＧＭＰは、ＩＰバージョン４用に開発されている。インターネットプロトコル（ＩＰ）バージョン６には、ＩＧＭＰと同じ目的に使用される、マルチキャスト受信者探索（Ｍｕｌｔｉｃａｓｔ  Ｌｉｓｔｎｅｒ  Ｄｉｓｃｏｖｅｒｙ：ＭＬＤ）と呼ばれる同様のプロトコルが存在する。
【００３６】
ユーザ装置（Ｕｓｅｒ  Ｅｑｕｉｐｍｅｎｔ：ＵＥ）は、マルチキャストモードが参加メッセージを使用する場合のＭＢＭＳベアラサービスの一部になる。参加メッセージの受信時、システムは、ユーザをマルチキャストサービスに参加させるために必要なステップを実行する。ＩＧＭＰメッセージがインフラストラクチャ内で正常に処理される場合、この特定のＵＥのために、ＭＢＭＳ  ＵＥコンテキストがＧＧＳＮ、ＳＧＳＮ、ＲＮＣ内に確立される。この手順は、最後のステップでＵＥ用のマルチキャストベアラに、ＴＭＧＩを割り当てることにもなる。従って、ユーザはＴＭＧＩを有し、このＴＭＧＩは、ページングチャネルで送信されるＴＭＧＩと比較されても良い。このようにして、ユーザは、来るＭＢＭＳ送信についての通知を受ける。サービスに同意時、セッション開始フェーズが、ユーザへのＭＢＭＳ配信ツリーを確立するために開始される。より詳細な説明は、３ＧＰＰ  ＴＳ  ２３．２４６  Ｖ  ６．４．０（２００４年９月）の８．２章に示されている。
【００３７】
しかしながら、起動手順実行後には、ユーザは、登録しているマルチキャスト／ブロードキャストサービスにアクセスするために必要なＩＰマルチキャストアドレス、ポート番号及びプロトコル識別子を含む第１のパラメータセットを有している。
【００３８】
マルチキャストサービスとブロードキャストサービスとの起動手順の違いは、ブロードキャストの場合、ユーザは、ＩＧＭＰまたはＭＬＤによって、任意のグループにも登録しないことである。その代わりに、ＵＥは、アナウンスメッセージと一緒に、ブロードキャストサービスにアクセスするためのＴＭＧＩを直接受信する。ユーザは、このＴＭＧＩを記憶し、無線インタフェース上のＭＢＭＳ通知用のページングチャネルを監視するために、このＴＭＧＩを使用する。
【００３９】
上述のように、ＴＭＧＩは、ＭＢＭＳベアラを固有に識別し、ＭＢＭＳベアラは、ＭＢＭＳの通知のために、及び世界中にＭＢＭＳサービスをトランスポートするために使用される。通常は、ＴＭＧＩとＩＰマルチキャストアドレスとの間には直接のマッピングが存在する。マルチキャストフローは、ＩＰマルチキャストアドレスと送信者ＩＰアドレスとにより識別される。ＢＭ−ＳＣの実現においては、ＢＭ−ＳＣがマルチキャストフローをＴＭＧＩにマッピングするものがあることが予見される。
【００４０】
ＢＭ−ＳＣは、ＭＢＭＳベアラサービスごとに大局的（グローバル）に固有のＴＭＧＩを割り当てる。ＴＭＧＩは、大局的に固有のＭＣＣ／ＭＮＣ（ＰＬＭＮ  ＩＤ）と、ＰＬＭＮ内では固有でかつオペレータによって与えられるローカルＭＢＭＳベアラサービスＩＤとの、２つの部分を含んでいる。モバイルカントリーコード（Ｍｏｂｉｌｅ  Ｃｏｕｎｔｒｙ  Ｃｏｄｅ：ＭＣＣ）は３桁で構成され、ＢＭ−ＳＣの存在する国を固有に識別する。モバイルネットワークコード（Ｍｏｂｉｌｅ  Ｎｅｔｗｏｒｋ  Ｃｏｄｅ：ＭＮＣ）は２桁または３桁で構成される。ＭＮＣは、ＢＭ−ＳＣが属するＰＬＭＮを識別する。ＭＮＣの長さ（２桁または３桁）は、ＭＣＣの値に依存している。最後の３オクテットは、オペレータのネットワークの中から固有の値を定義する。この６オクテットのＴＭＧＩを使用して、ＭＢＭＳ送信は、ネットワークに関連付けることができ、ＭＣＣとＭＮＣは世界規模で調整され、残りのオクテットはオペレータによって与えられる。
【００４１】
それゆえ、ＭＢＭＳ  ＵＥがＭＢＭＳ使用可能な別のネットワーク内をローミングする場合は、世界的に固有のＴＭＧＩも他のネットワークで使用される場合に、ＭＢＭＳ  ＵＥは、アクティブなＭＢＭＳ送信を受信することだけ可能である。
【００４２】
以下では、図２に関して本発明の実施形態を説明する。図２は、本発明に従うマルチキャスト／ブロードキャスト側で実行されるステップを示している。
【００４３】
ユーザは、訪問先オペレーションドメインにローミングしていて（または、訪問先ネットワークで電話機の電源を入れていて）、その訪問先オペレーションドメインは、訪問先オペレーションドメインから受信されるアナウンスに従って認識され得る。本発明に従えば、マルチキャスト／ブロードキャストサーバは、ユーザからトリガを受信して、Ｓ２１、訪問先オペレーションドメイン内のこのユーザにマルチキャスト／ブロードキャストサービスを提供する。マルチキャスト／ブロードキャストサービスの提供は、訪問先オペレーションドメインに参加後直ぐに実行されても良く、または、マルチキャスト／ブロードキャストサービスを受けるために、ユーザはまず訪問先オペレーションドメインへの接続を実行してもよく、このサービスへのアクセスが拒否される場合、それに続くステップで、ホームオペレーションドメインへのトリガが開始されても良い。この手順の結果として、訪問先ネットワークを識別するネットワーク識別子がユーザに提供される。この識別子は、例えば、異なるＭＮＣとＭＣＣに基づいても良い。更に説明するように、マルチキャスト／ブロードキャストサーバは、どのルールのセットを適用するかを区別するためにネットワーク識別子を必要とする。
【００４４】
一実施形態では、ユーザが関与するマルチキャストサーバは、ホームオペレーションドメインに配置されているマルチキャスト／ブロードキャストサーバであっても良いことに注意されたい。他の実施形態では、ユーザのデータを管理する任意のマルチキャスト／ブロードキャストサーバであっても良い。
【００４５】
また、ユーザから受信するトリガは、ユーザ、ユーザ装置、または訪問先オペレーションドメインのいずれかにより生成されても良いことにも注意されたい。訪問先オペレーションドメインがローミングしているユーザについての通知を受けている場合において、そのユーザが訪問先オペレーションドメインでマルチキャスト／ブロードキャストサービスにアクセスを試行すると、この訪問先オペレーションドメインは、訪問先ネットワークとホームネットワークとの間の任意の適切なインタフェースを通じて、そのユーザへサービスを提供するためのリクエストをユーザが関与するマルチキャスト／ブロードキャストサーバに送信する。訪問先ネットワークがユーザにメッセージを送信し、続いてユーザがホームオペレーションドメインに連絡することも可能である。
【００４６】
トリガメッセージは、任意の適切な方法で実現されても良い。また、リクエストメッセージは、ユーザが訪問先ネットワークにいることをホームネットワークに通知する純粋な通知メッセージでも良いし、また、例えば、ユーザが訪問先ネットワークで受信することに関心を持っているマルチキャストサービスのリストのような追加の情報を含んでいても良いことに注意されたい。メッセージに、ユーザが接続フェーズ中に受信している訪問先ネットワークの識別子を含めることを提案する。
【００４７】
一実施形態では、ユーザからシグナリングメッセージを受信することが予見され、このシグナリングメッセージは、例えば、セッション開始プロトコル（Ｓｅｓｓｉｏｎ  Ｉｎｉｔｉａｔｉｏｎ  Ｐｒｏｔｏｃｏｌ：ＳＩＰ）やサービス管理システム（Ｓｅｒｖｉｃｅ  Ｍａｎａｇｅｍｅｎｔ  Ｓｙｓｔｅｍ：ＳＭＳ）のような任意の適切なシグナリングプロトコルを用いて実現されても良い。
【００４８】
別の実施形態では、マルチキャスト／ブロードキャストサーバがユーザからＨＴＴＰメッセージを受信することを提案する。また、別の実施形態では、ＰＤＰ接続を用いてユーザから情報を受信することを提案する。
【００４９】
トリガリクエストは、例えば、ユーザが訪問先オペレーションドメインにいることを通知する、このユーザからの単なる短い通知メッセージであっても良い。この場合、サーバは、ユーザが関心を持っているマルチキャスト／ブロードキャストサービスに関しての追加の情報を記憶していても良い。別の実施形態では、この通知メッセージの後に、ユーザが関心を持っているマルチキャスト／ブロードキャストサービスについての情報を含む追加のメッセージが続いてもよいし、また、この通知メッセージは、ユーザが関心を持っているマルチキャスト／ブロードキャストサービスについての情報も搬送する通知メッセージを組み合わせても良い。
【００５０】
しかしながら、本発明に従えば、トリガリクエストは、少なくとも訪問先ネットワークの識別子を搬送するべきであり、その識別子は、例えば、異なるＭＮＣとＭＣＣの配信形式であっても良い。この情報を用いて、ＵＥは、ＨＴＴＰのような任意の適切な方法を使用して、ＢＭ−ＳＣに、訪問先ネットワークについて通知し、かつ第２のデータセットをリクエストすることになる。
【００５１】
図２に戻り、ステップＳ２２では、マルチキャスト／ブロードキャストサーバは、ユーザから直接的にまたは間接的に受信している情報を検討する。上述のように、この情報は、ユーザが訪問先ネットワークにいることの指示情報に加えて、例えば、ＭＣＣとＭＮＣ等の訪問先ネットワークの識別情報でも良い。この情報は、ユーザが関心を持っているサービスのリストに加えて、また、訪問先ネットワークの識別情報を含むメッセージでも良い。
【００５２】
更に、本発明は、マルチキャスト／ブロードキャストサーバが訪問先オペレーションドメインのマルチキャスト／ブロードキャストサービスのプロビジョン用のルールを検討することを提案する。ここで、ユーザによってトリガされるリクエストに含まれるネットワーク識別子は訪問先オペレーションドメインを識別する。このルールは、ローミングしているユーザの処理に関して、ホームオペレーションドメインと訪問先オペレーションドメインとが合意しているルールである。これに関連して、このルールは、例えば、ユーザは前払い（プリペイド）の加入契約をしており、それゆえ、ローミング中にサービスを受けることが許可されないものでも良いし、それゆえホームオペレーションドメインは、自身でこのユーザにサービスを提供することを決定するものであっても良い。別の例は、ホームサービスのプロビジョンは訪問先ネットワークの特定の地理的エリアだけ（例えば、大都市だけ）に有効であり、ユーザは、このエリアの外に移動したら（但し、訪問先ネットワークには留まっている）直ぐに新規のパラメータをリクエストしなければならない、というものであっても良い。
【００５３】
この種の情報は、例えば、サービスレベルアグリーメント（ＳＬＡ）インタフェースを用いて動的に交換されても良い。
【００５４】
別の実施形態では、この情報をサーバに記憶することを提案する。好ましくは、この場合には、静的に記憶されている情報を更新する方法を提供することを提案する。
【００５５】
図２に戻り、次のステップＳ２３では、マルチキャスト／ブロードキャストサーバは、訪問先オペレーションドメイン内のユーザに、少なくとも１つのマルチキャスト／ブロードキャストサービスを提供する方法を決定することを提案する。
【００５６】
本発明に従えば、マルチキャスト／ブロードキャストサーバは、ベアラの１つを選択する、即ち、ユニキャストまたはマルチキャストまたはブロードキャストのどれかを選択する。この決定は、例えば、訪問先ネットワークがＭＢＭＳをサポートしない場合、またはＭＢＭＳローミングを許可しない場合に、ユニキャストベアラ（インタラクティブベアラまたはストリーミングベアラ）を使用することでも良い。
【００５７】
ＭＢＭＳは第１のパラメータリストを知っており、リストその中でも特にホームオペレーションドメインのマルチキャスト／ブロードキャストサービスの送信モードに従って、訪問先オペレーションドメインでマッチする送信モードが選択されても良い。
【００５８】
現在、例えば、ＲＦＣ２５５７に従う集約サービスアナウンス文書のような、サービスへのアクセス及びサービスのプロビジョンについての情報を含むサービスを記述するために利用可能な方法が存在する。この記述は、ＩＰアドレス、ＴＭＧＩ、提供される送信方法等のエントリを含んでいる。
【００５９】
例えば、ＭＢＭＳサービス（マルチキャストモードあるいはブロードキャストモードにかかわらず）がＭＢＭＳストリーミング配信方法に基づいている場合、マルチキャスト／ブロードキャストサーバは、ユニキャストパケット交換ストリーミングソリューションを使用することを決定することができる。更に、マルチキャスト／ブロードキャストサーバは、ユニキャストパケット交換接続を介してストリーミングデータをトランスポートするためのトランスポートプロトコルとしてＵＤＰまたはＴＣＰを使用することを決定することができる。
【００６０】
ＭＢＭＳダウンロード配信方法に基づくＭＢＭＳサービスの場合、通常は、ＵＤＰに基づくＭＢＭＳサービスの場合、マルチキャスト／ブロードキャストサーバは、ＴＣＰに基づくＷＡＰプッシュのようなユニキャストダウンロードソリューションを使用することを決定することができる。
【００６１】
これに関連して、マルチメディアサービスは、メディアストリーミングまたはダウンロード技術を介してユーザに配信されることが言及されるべきである。コンテンツをダウンロードするために、ユーザはリンクをクリックし、コンテンツがダウンロードされ、再生が開始することを待機する。ストリーミングデータにアクセスするためには、ユーザはリンクをクリックし、ほぼ即時に再生が開始する。それゆえ、配信技術に依存して、異なるトランスポートプロトコルが適用される。
【００６２】
また、マルチキャスト／ブロードキャストストリーミングとマルチキャスト／ブロードキャストダウンロード配信方法とを同時に使用するマルチキャスト／ブロードキャストサービスの場合、例えば、双方向性のモバイルテレビサービスの場合、ＢＭ−ＳＣは、例えば、パケット交換ストリーミング（テレビ入力用）とＳＭＳ（投票目的用）とによる、ユニキャストサービスを提供することを決定しても良い。
【００６３】
更に、訪問先ネットワークがＭＢＭＳローミング協定（アグリーメント）を締結している場合、この訪問先ネットワークは、ホームオペレータにＭＢＭＳローミング目的でのＭＢＭＳベアラの所定のセットを使用することを許可することができる。次いで、ホームオペレータは、どのホームサービスと訪問先オペレーションネットワークのＭＢＭＳとをマッピングすることを決定することができる。
【００６４】
例えば、訪問先ネットワークのオペレータが、ＭＢＭＳベアラリソースの使用を正当化するＭＢＭＳ  ＵＥの密集を予想する場合（例えば、イベント中）は、ホームネットワークの一部または全部のＴＭＧＩも訪問先ネットワークを通して転送することを決定することができる。このルールは、ホームオペレーションドメインに与えられ、ユーザには第１のパラメータセットを使用することが通知されることになる。
【００６５】
選択的には、訪問先オペレーションドメインが国際バージョンのサービスにマッピングすることを決定する場合、ユーザは第２のパラメータセットに関しての更新情報を取得する。この場合、更新情報は、訪問先ネットワークの構成（コンフィグレーション）パラメータを含むことになる（例えば、訪問先ネットワークのＭＣＣとＭＮＣを有するＴＭＧＩ）。この状況では、国際バージョンのサービスはホームサービスではあるが、例えば、音声の言語は英語である。
【００６６】
図２に戻り、続くステップＳ２４では、プロビジョン方法に従って、マルチキャスト／ブロードキャストサーバは、訪問先オペレーションドメインで少なくとも１つのマルチキャスト／ブロードキャストサービスにアクセスするための、第２のパラメータセットを判定する。
【００６７】
好ましくは、この第２のパラメータセットは、訪問先オペレーションドメイン内でマルチキャスト／ブロードキャストサービスにアクセスするためのローカル設定構成（コンフィグレーション）用の構成（コンフィグレーション）パラメータセットが好ましい。
【００６８】
別の例は、第２のパラメータセットは、特定の期間（例えば、オリンピックの期間）だけ有効で有る、というものでも良い。
【００６９】
第２のパラメータセットが無効になると直ぐに、同じ訪問先ネットワークに留まっているとしても、ＵＥは新規野パラメータをリクエストしなければならない。
【００７０】
第２のパラメータリストは、マルチキャスト／ブロードキャストサーバによる決定を搬送しなければならない。従って、例えば、この決定が、マルチキャスト／ブロードキャストサービスを提供するための、訪問先オペレーションドメインでユニキャストダウンロードを使用することである場合、マルチキャスト／ブロードキャストサーバは、ユーザをＷＡＰプッシュリストまたはマルチメディアメッセージングサービス（Ｍｕｌｔｉｍｅｄｉａ  Ｍｅｓｓａｇｉｎｇ  Ｓｅｒｖｉｃｅ：ＭＭＳ）配信リストに追加することができる。その結果、訪問先ネットワーク内のユーザは、ホームパラメータセットが訪問先ネットワークでは使用されないものとするとの通知だけを取得する。
【００７１】
従って、第２のパラメータセットは、新規のパラメータセットまたは更新されている第１のパラメータセットまたは第１のパラメータセットのいずれかであることを提案する。
【００７２】
ほんの少しの変更がなされている場合、第２のパラメータセットは第１のパラメータセットの更新情報にすることを提案する。例えば、ＴＭＧＩは、ブロードキャストサービスの場合は変更される。
【００７３】
例えば、訪問先ネットワークが、異なるＩＰマルチキャストアドレスとＴＭＧＩを介してＭＢＭＳローミングをサポートする場合には、第２のパラメータセットは新規のパラメータセットとなる。この場合、ユーザは、例えば、異なるＩＰマルチキャストアドレスとＴＭＧＩのような、このサービスにアクセスするために必要な情報を取得する。ローミングの場合は、配信方法の数も恐らく異なっていても良い。これは、ホームオペレーションドメイン内では、ユーザは、例えば、マルチキャストを用いて１つのデータフローを取得し、また、ブロードキャストを用いて別のデータフローを取得するが、訪問先ネットワーク内では、例えば、マルチキャストだけを用いるということである
また、訪問先ネットワークがＭＢＭＳローミングをサポートし、かつホームＴＭＧＩを介してトラフィック転送も許可する場合、第２のパラメータセットは第１のパラメータセットに等しくすることを提案する。
【００７４】
好ましくは、マルチキャスト／ブロードキャストサーバが既存の第１のパラメータセットを使用することを決定する場合は、このサーバは、ユーザに既存の第１のパラメータセットを使用することを通知するために、例えば、フラグのような通知だけを送信することができる。
【００７５】
また、第２のパラメータセットは、例えば、地理情報のような追加情報を含んでも良いことを提案する。この地理情報は、サービスがＰＬＭＮ全域で利用可能でない場合に使用されても良い。
【００７６】
結果を維持するために、第１のパラメータセットの場合と同じ記述データのフォーマットを使用し、かつ該当するエントリだけを新規のパラメータで置き換えることを提案する。例えば、ＲＦＣ２５５７に従う集約サービスアナウンス文書を使用することができる。
【００７７】
図２に関して最後に、ステップＳ２５では、マルチキャスト／ブロードキャストサーバは、ユーザに第２のパラメータセットを送信する。マルチキャスト／ブロードキャストサーバは、ユーザに第２のパラメータセットを配信するために様々な方法を使用することができる。例としては、配信用のＷＡＰプッシュまたはＳＭＳを使用することである。
【００７８】
以下では、本発明を、図３を用いて説明する。図３は、ユーザ側で実行される方法のステップを示している。
【００７９】
ユーザが訪問先オペレーションドメインでローミングしていると想定する。ユーザは、ホームオペレーションドメインでホームマルチキャスト／ブロードキャストサービスにアクセスするために使用される、第１のパラメータセットを有する。
【００８０】
ユーザが在訪問先オペレーションドメインに参加する場合、ＧＰＲＳ参加（attach）、ＩＭＳＩ参加またはＧＰＲＳ／ＩＭＳＩを組み合わせた参加手順を用いて、まず、訪問先オペレーションドメインへの参加を実行する。ユーザは、他のネットワークに存在していると認識し、マルチキャスト／ブロードキャストサーバに、訪問先オペレーションドメインで少なくとも１つのマルチキャスト／ブロードキャストサービスを提供するためのリクエストを行う、Ｓ３１。
【００８１】
また、ユーザからのトリガは、ユーザまたはユーザ装置によって生成されても良いことに注意されたい。但し、以降の説明の中では、これらを区別はせずに、一般用語として「ユーザ」を使用することにする。
【００８２】
ユーザがマルチキャスト／ブロードキャストサービスをリクエストするためのトリガを生成する場合、ユーザは、関与するマルチキャスト／ブロードキャストサーバについて知る必要があり、特に、このサーバとの連絡方法についての情報を知る必要がある。このトリガメッセージは、任意の適切な方法で実現されても良い。
【００８３】
また、リクエストメッセージは、ユーザが訪問先ネットワークに存在することをホームネットワークへ通知する純然たる通知メッセージであっても良いし、また、例えば、ユーザが訪問先ネットワークで受信することに関心を持っているマルチキャストサービスリストのような、追加の情報を含んでも良いことに注意されたい。
【００８４】
一実施形態では、マルチキャスト／ブロードキャストサーバに、シグナリングメッセージを送信することが予見される。この結果として、ユーザは、このサーバのアドレスを知る必要があり、例えば、ＨＴＴＰまたはＳＭＳのようなプロトコルを用いてサーバとの連絡が確立されることになる。
【００８５】
他の実施形態では、ユーザがユーザからのメッセージを生成することを提案する。それゆえ、ユーザは、ＨＴＴＰを使用して、例えば、マルチキャスト／ブロードキャストサーバのＵＲＬアドレスにメッセージを送信する。このメッセージは、例えば、ＭＣＣとＭＮＣの訪問先ＰＬＭＮの識別子を含んでいる。更に、ユーザが訪問先オペレーションドメインで使用することに関心を持っているマルチキャスト／ブロードキャストサービスのリストが、送信されても良い。ここで、このサービスは、ＴＭＧＩアドレス、ＩＰマルチキャストアドレス、またはユーザサービス識別子を用いて識別することができる。
【００８６】
別の実施形態では、ユーザがＰＤＰ接続を確立することを提案する。まず、いわゆるＰＤＰコンテキスト起動が実行される。ＰＤＰコンテキスト起動は、ＩＰネットワークへのログオンのようなものである。ＰＤＰコンテキスト起動中に、アイデンティティを有するトンネルがユーザとＧＧＳＮとの間に作成されることで、情報を交換することができる。このトンネルは、例えば、ＨＴＴＰを使用してマルチキャスト／ブロードキャストサーバ（ＵＲＬにより識別される）にそのメッセージを送信するために使用することができる。
【００８７】
要約すると、トリガリクエストは、任意の適切な方法で実現することができる。例えば、トリガリクエストは、ユーザが訪問先オペレーションドメインに存在することを通知する、このユーザからの単なる短い通知メッセージであっても良い。この場合、サーバは、ユーザが関心を持っているマルチキャスト／ブロードキャストサービスに関する追加の情報を記憶していても良い。別の実施形態では、この通知メッセージの後に、ユーザが関心を持っているマルチキャスト／ブロードキャストサービスについての情報を含む追加のメッセージが続いても良いし、またこの通知メッセージは、ユーザが関心を持っているマルチキャスト／ブロードキャストサービスについての情報も搬送する通知メッセージを組み合わせても良い。
【００８８】
図３に戻り、次のステップＳ３２では、ユーザは、マルチキャスト／ブロードキャストサーバから、少なくとも１つのマルチキャスト／ブロードキャストサービスにアクセスするための第１のパラメータセットを使用するための第２のパラメータセットを受信する。ここで、第２のパラメータセットは、ユーザのトリガリクエストとマルチキャスト／ブロードキャストサービスの提供に関する訪問先オペレーションドメインのルールとに基づいている。
【００８９】
受信した第２のパラメータセットに従って、ユーザは、訪問先オペレーションドメイン内でマルチキャスト／ブロードキャストサービスにアクセスするために自身の設定（setting）を構成する。例えば、第２のパラメータリストは、ダウンリンク方向では（ＴＬＯ？）であるＦＬＵＴＥプロトコル、及びアップリンク方向ではＴＣＰ／ＩＰプロトコルを、ユーザが使用すべきであることを示す情報を含んでいても良い。
【００９０】
従って、例えば、異なるベアラにまたがるユニキャスト若しくはマルチキャスト若しくはブロードキャストあるいはストリーミング若しくはダウンロードのような種々のデータ送信方法を有することを提案する。使用する送信方法は、マルチキャスト／ブロードキャストサーバで決定されるプロビジョン方法に依存する。
【００９１】
上述のように、第２のパラメータは、新規のパラメータセットまたは更新されている第１のパラメータセットまたは第１のパラメータリストを使用することの指示のいずれであっても良い。
【００９２】
また、ユーザは、第２のパラメータリストを受信すると、第１のパラメータセットを置換する、または第１のパラメータセットを保存して、非アクティブに設定し、第２のパラメータセットを使用するために記憶することを提案する。ユーザが自身のホームネットワークドメインに戻る場合、第１のパラメータリストを、再びアクティブにしても良い。
【００９３】
図３に関して、ステップＳ３３で、ユーザは、例えば、第２のパラメータリストに含まれるパラメータを適用することにより、またはユニキャストベースのダウンロード送信モードの場合は単にデータを待機することにより、第２のパラメータセットを使用して、サービスにアクセスする。
【００９４】
以下では、本発明を図４に従って説明する。図４は、ユーザがマルチキャスト／ブロードキャストサービスにアクセスし、オペレーションドメイン間でローミングすることをサポートするように構成されているマルチキャスト／ブロードキャストサーバ４０を示している。このサーバは受信部４１を有する。この受信部４１は、訪問先オペレーションドメインで少なくとも１つのマルチキャスト／ブロードキャストサービスを提供するために、訪問先オペレーションドメインに存在するユーザによってトリガされるリクエストを受信する。上述のように、このトリガは、ユーザと訪問先オペレーションドメインのどちらから受信することができる。
【００９５】
また、このサーバは決定部４２を有する。この決定部４２は、訪問先オペレーションドメインに存在するユーザに少なくとも１つのマルチキャスト／ブロードキャストサービスを提供するためのプロビジョン方法を決定する。この決定部は、訪問先オペレーションドメインでマルチキャスト／ブロードキャストサービスのプロビジョン用のルール４３とユーザによってトリガされるリクエストとを検討するように構成されている。この決定部は、適切な方法のステップを説明する上記の方法に従って決定を行う。
【００９６】
更に、このサーバは評価部４４を有する。この評価部４４は、プロビジョン方法に従って訪問先オペレーションドメインで少なくとも１つのマルチキャスト／ブロードキャストサービスにアクセスするための第２のパラメータセットを判定する。この第２のパラメータセットの判定については、上述の通りである。送信部４５は、ユーザに第２のパラメータセットについての情報を送信するように構成されている。
【００９７】
以下では、図５に関してユーザノードについて説明する。ユーザノード５０は、トリガ部５１を有する。このトリガ部５１は、マルチキャスト／ブロードキャストサーバに、訪問先オペレーションドメインで少なくとも１つのマルチキャスト／ブロードキャストサービスを提供するためのリクエストを起動（トリガ）する。ここで、トリガメッセージは、上述のように任意の適切なフォーマットを有することができる。
【００９８】
また、このユーザノードは、マルチキャスト／ブロードキャストサーバから第２のパラメータセットを受信する受信部５２と、その受信した第２のパラメータリストに従ってユーザ側でそのパラメータリストを構成（設定）する構成部（configuration unit：設定部）５３とを有する。ここで、この構成（設定）は、上記の方法に従って実行される。また、ユーザは、構成パラメータを使用してマルチキャストサービスにアクセスするためのアクセス部５４を有する。
【００９９】
以下では、図６に関してシステムについて説明する。このシステムは、図２及び図４に関して説明されるマルチキャスト／ブロードキャストサーバを有する。また、図３及び図５に関して説明されるユーザを有する。また、このシステムは、このサーバとこのユーザとの間には、情報を交換するためのインタフェースも有する。更に、図６は、訪問先オペレーションドメインである訪問先ＯＤとホームオペレーションドメインであるホームＯＤを示している。
【０１００】
本発明の一実施形態では、ユーザがインタフェース６１を介してトリガリクエストメッセージを送信することを提案する。上述のように、このメッセージは、ユーザが受信することに関心を持っているマルチキャストグループが載っているリストのような、更なるパラメータを含んでいても良い。このメッセージの受信時、サーバ４０は、インタフェース６２を介して受信することができる、訪問先オペレーションドメインのルールも検討して、ユーザにホームマルチキャスト／ブロードキャストサービスを提供する方法を決定する。このサーバは、インタフェース６４を介してユーザに送信される、第２のパラメータリストを判定する。ユーザは、受信した第２のパラメータリストを適用して、インタフェース６５を介して訪問先オペレーションドメインでホームマルチキャスト／ブロードキャストサービスにアクセスする。
【０１０１】
以下では、図７に従う一実施形態を提示する。図７は、図６に従うシステムで実行されるステップを示している。
【０１０２】
ステップ７１では、ＭＢＭＳ  ＵＥは、ＩＭＳＩ参加（attach）、ＧＰＲＳ参加、またはＧＰＲＳ／ＩＭＳＩを組み合わせた参加手順を用いて、ネットワークに参加する。ステップ７２では、ＭＢＭＳ  ＵＥは、自装置がホームネットワークの外に移動しているか否かを認識する。ユーザがホームオペレーションドメインに存在するとの通知を取得する場合、現在知られている通常のＭＢＭＳ手順が適用される、７３。ユーザが訪問先ネットワークに存在すると認識される場合、訪問先ネットワークのネットワーク識別子がユーザに提供される。ステップ７４では、ＭＢＭＳ  ＵＥは、上述のように、例えば、ネットワーク識別子を含むＨＴＭＬメッセージを送信することによって、ＢＭ−ＳＣサーバに連絡する。このメッセージの受信時、ＢＭ−ＳＣサーバは、訪問先オペレーションドメインとの任意のローミング協定があるかどうかを検討する、７５。協定がある場合は、ＢＭ−ＳＣは、ＭＢＭＳ  ＵＥに訪問先ネットワーク内でだけで有効な新規のサービス設定（構成（コンフィグレーション）：configuration）パラメータを提供する、またはホームマルチキャスト／ブロードキャストサービスにアクセスするために使用するパラメータを再使用する指示を送信する、７６。ローミング協定がない場合は、ＢＭ−ＳＣはユニキャストを使用することを決定する。ここで、サーバは、ユニキャストベースのパケット交換または回線交換ストリーミングを用いて、訪問先オペレーションドメインでマルチキャスト／ブロードキャストサービスを提供することも決定しても良い、７７。選択的には、ＷＡＰプッシュやＭＭＳによって、ダウンロードを使用することを決定しても良い、７８。
【０１０３】
ＭＢＭＳストリーミングサービスの場合、ＭＢＭＳ  ＵＥは、ユニキャストパケット交換ストリーミングをアクティブにする、またはユニキャスト回線交換ストリーミングさえもアクティブにする、新規の設定（構成（コンフィグレーション）：configuration）ファイルを取得する。ユーザがサービスを希望する場合は、ＭＢＭＳ  ＵＥは、ＭＢＭＳストリーミング受信をアクティブにしないで、ストリーミングサーバとのリアルタイムストリーミングプロトコルであるＲＴＳＰ（Ｒｅａｌ  Ｔｉｍｅ  Ｓｔｒｅａｍｉｎｇ  Ｐｒｏｔｏｃｏｌ）セッションを確立し、ＲＴＳＰ  ＰＬＡＹ方法と呼ばれるメッセージを用いてストリームをリクエストすることによって、ユニキャストパケット交換ストリーミングチャネルを開く。この場合、ＴＭＧＩの値の範囲は大局的に固有ではないので、ＭＢＭＳ  ＵＥはＭＢＭＳ受信を非アクティブにする。この意味するところは、ＭＢＭＳユーザは、特定のＴＭＧＩがマークされている通知に対するＭＢＭＳ通知チャネルの監視を停止することである。
【０１０４】
ＭＢＭＳダウンロードサービスの場合は、ＭＢＭＳユーザは、例えば、ＷＡＰ−プッシュ（ＷＡＰ−ＰＵＳＨ）グループに登録されることになる。このコンテンツは、ユニキャスト方法によってローミングユーザに配信される。ＷＡＰ−プッシュは、典型的には、ＳＭＳベースの指示と、ワイヤレスセッションプロバイダであるＷＳＰ（Ｗｉｒｅｌｅｓｓ  Ｓｅｓｓｉｏｎ  Ｐｒｏｖｉｄｅｒ：ＷＳＰ）またはＨＴＴＰ検索との組み合わせで実現される。ユーザは、ＳＭＳを受信することによって、新規のコンテンツについての通知を受けることになる。次いで、ユーザは、標準ＰＤＰコンテキストをアクティブにして、かつＨＴＴＰによってコンテンツをダウンロードすることにより、実際のコンテンツを取得することになる。
【０１０５】
上述の実施形態は、ＧＰＲＳまたはＵＭＴＳに基づいている。しかしながら、本発明は、これらのネットワークに限定されるものではない。本発明は、ローミングユーザにマルチキャスト／ブロードキャストサービスを提供する異なるオペレーションドメインを有するネットワーク毎に使用することができる。別の例としては、ＣＤＭＡ２０００がある
【図面の簡単な説明】
【０１０６】
【図１】マルチキャスト／ブロードキャストサービスを提供するためのネットワークアーキテクチャの概略図である。
【図２】ローミングユーザにＭＢＭＳサービスを提供するためのマルチキャスト／ブロードキャストサーバに対する、本発明の実施形態のフローチャートを示す図である。
【図３】訪問先オペレーションドメインにおいてマルチキャスト／ブロードキャストサービスのプロビジョンを希望するユーザに対する、本発明の実施形態のフローチャートを示す図である。
【図４】訪問先オペレーションドメイン内を移動するユーザに、マルチキャスト／ブロードキャストサービスを提供することができるマルチキャスト／ブロードキャストサーバの概略例を示す図である。
【図５】訪問先オペレーションドメインで、マルチキャスト／ブロードキャストサービスにアクセスすることができるユーザの概略例を示す図である。
【図６】訪問先オペレーションドメイン内を移動するユーザに、マルチキャスト／ブロードキャストサービスを提供することができるシステムの概略例を示す図である。
【図７】システム内の訪問先オペレーションドメイン内をローミングするユーザにマルチキャスト／ブロードキャストサービスを提供するための、本発明の実施形態のフローチャートを示す図である。
【図１】
2008544662.tif 000003
【図２】
2008544662.tif 000004
【図３】
2008544662.tif 000005
【図４】
2008544662.tif 000006
【図５】
2008544662.tif 000007
【図６】
2008544662.tif 000008
【図７】
2008544662.tif 000009
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
マルチキャスト／ブロードキャストサービスをユーザノード（５０）へ提供するホームオペレーションドメイン（ホームＯＤ）を有するオペレーションドメイン間で、マルチキャスト／ブロードキャストサービスへアクセスするユーザノード（５０）がローミングするための方法であって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記方法は、
前記マルチキャスト／ブロードキャストサーバ（４０）が、前記訪問先オペレーションドメイン（訪問先ＯＤ）において少なくとも１つのマルチキャスト／ブロードキャストサービスを提供するために、前記訪問先オペレーションドメインに存在する前記ユーザノード（５０）によってトリガされるリクエストを受信し（Ｓ２１）、
前記マルチキャスト／ブロードキャストサーバ（４０）が、前記第１のパラメータセットと、前記訪問先オペレーションドメイン（訪問先ＯＤ）における前記マルチキャスト／ブロードキャストサービスのプロビジョン用のルールと、前記ユーザノード（５０）によってトリガされるリクエストとを検討することで、前記訪問先オペレーションドメイン（訪問先ＯＤ）において前記ユーザノード（５０）へ前記少なくとも１つのマルチキャスト／ブロードキャストサービスを提供するためのマッチするプロビジョン方法を決定し（Ｓ２２、Ｓ２３）、
前記マルチキャスト／ブロードキャストサーバ（４０）が、前記決定したプロビジョン方法に従って、前記訪問先オペレーションドメイン（訪問先ＯＤ）において前記少なくとも１つのマルチキャスト／ブロードキャストサービスへアクセスするための第２のパラメータセットを判定し（Ｓ２４）、
前記マルチキャスト／ブロードキャストサーバ（４０）が、前記第２のパラメータセットについて前記ユーザノード（５０）へ通知する（Ｓ２５）
ことを特徴とする方法。
【請求項２】
前記訪問先オペレーションドメインにおいて前記少なくとも１つのマルチキャスト／ブロードキャストサービスを提供するために、前記訪問先オペレーションドメインに存在する前記ユーザノード（５０）によってトリガされる前記リクエストは、前記訪問先オペレーションドメインを識別するネットワーク識別子を含んでいる
ことを特徴とする請求項１に記載の方法。
【請求項３】
前記マルチキャスト／ブロードキャストサーバは、ホームオペレーションドメインに配置されている
ことを特徴とする請求項１に記載の方法。
【請求項４】
前記訪問先オペレーションドメインにおいて前記少なくとも１つのマルチキャスト／ブロードキャストサービスを提供するために、前記訪問先オペレーションドメインに存在する前記ユーザノードによってトリガされる前記リクエストは、前記ユーザノードあるいは前記訪問先オペレーションドメインによって生成される
ことを特徴とする請求項１に記載の方法。
【請求項５】
前記リクエストのトリガは、シグナリング、確立されたデータ接続、あるいは情報インタフェースによって実行される
ことを特徴とする請求項１乃至４のいずれか１項に記載の方法。
【請求項６】
前記リクエストは、前記少なくとも１つのマルチキャスト／ブロードキャストサービスが、前記マルチキャスト／ブロードキャストサーバに記憶されているあるいは前記ユーザノードから受信されることに関する、ユーザが関心を持っているデータのリストによって拡張される
ことを特徴とする請求項１乃至５のいずれか１項に記載の方法。
【請求項７】
前記プロビジョン方法は、ユニキャスト、マルチキャスト、あるいはブロードキャスト送信によって実行される
ことを特徴とする請求項１に記載の方法。
【請求項８】
前記プロビジョン方法は、データのストリーミングあるいはデータのダウンロードによって実行される
ことを特徴とする請求項１または７に記載の方法。
【請求項９】
前記訪問先オペレーションドメイン（訪問先ＯＤ）における前記マルチキャスト／ブロードキャストサービスのプロビジョン用のルールは、前記オペレーションドメインが協定を締結しているルールである
ことを特徴とする請求項１に記載の方法。
【請求項１０】
前記マルチキャスト／ブロードキャストサービスのプロビジョン用のルールは、静的に記憶されている、あるいは前記マルチキャスト／ブロードキャストサービスのプロビジョン用のルールは、動的に受信される
ことを特徴とする請求項９に記載の方法。
【請求項１１】
前記第２のパラメータセットは、前記訪問先オペレーションドメインにおいて前記マルチキャスト／ブロードキャストサービスへアクセスするためのローカル設定のコンフィグレーション用のコンフィグレーションパラメータセットである
ことを特徴とする請求項１に記載の方法。
【請求項１２】
前記第２のパラメータセットは、新規のパラメータセット、あるいは更新されている第１のパラメータセットである
ことを特徴とする請求項１１に記載の方法。
【請求項１３】
前記第２のパラメータセットは、追加の情報を含んでいる
ことを特徴とする請求項１１または１２に記載の方法。
【請求項１４】
マルチキャスト／ブロードキャストサービスをユーザノード（５０）へ提供するホームオペレーションドメイン（ホームＯＤ）を有するオペレーションドメイン間で、マルチキャスト／ブロードキャストサービスへアクセスするユーザノード（５０）がローミングするための方法であって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記方法は、
前記訪問先オペレーションドメイン（訪問先ＯＤ）に存在するユーザノード（５０）が、前記訪問先オペレーションドメイン（訪問先ＯＤ）において少なくとも１つのマルチキャスト／ブロードキャストサービスを提供するための前記マルチキャスト／ブロードキャストサーバ（４０）へリクエストをトリガし（Ｓ３１）、
前記ユーザノード（５０）が、前記少なくとも１つのマルチキャスト／ブロードキャストサービスへアクセスするために前記第１のパラメータセットを使用するための第２のパラメータセットを前記マルチキャスト／ブロードキャストサーバ（４０）から受信し（Ｓ３２、Ｓ３３）、
前記第２のパラメータセットは、前記ユーザノード（５０）のリクエストと、マルチキャスト／ブロードキャストサービスのプロビジョンに関する前記訪問先オペレーションドメイン（訪問先ＯＤ）のルールと、前記第１のパラメータセットとに基づいている
ことを特徴とする方法。
【請求項１５】
前記ユーザノード（５０）は、前記マルチキャスト／ブロードキャストサーバへ連絡するための連絡パラメータを有している
ことを特徴とする請求項１４に記載の方法。
【請求項１６】
前記訪問先オペレーションドメインにおいて前記少なくとも１つのマルチキャスト／ブロードキャストサービスを提供するために、前記訪問先オペレーションドメインに存在する前記ユーザノードによってトリガされる前記リクエストは、前記ユーザノードによって生成される
ことを特徴とする請求項１４に記載の方法。
【請求項１７】
前記リクエストのトリガは、シグナリング、確立されたデータ接続、あるいは前記ユーザノードからの情報インタフェースによって実行される
ことを特徴とする請求項１４または１６に記載の方法。
【請求項１８】
前記ユーザノードは、前記マルチキャスト／ブロードキャストサービスのリストを含む前記リクエストを送信する
ことを特徴とする請求項１４、１６または１７のいずれか１項に記載の方法。
【請求項１９】
前記ユーザノードは、前記マルチキャスト／ブロードキャストサービスを、ユニキャスト、マルチキャスト、あるいはブロードキャスト送信によって受信する、あるいは、前記マルチキャスト／ブロードキャストサーバで決定されるプロビジョン方法に依存するデータのストリーミングあるいはダウンロードによって受信する
ことを特徴とする請求項１４に記載の方法。
【請求項２０】
前記第２のパラメータセットは、前記訪問先オペレーションドメインにおいて前記マルチキャスト／ブロードキャストサービスへアクセスするためのローカル設定のコンフィグレーション用のコンフィグレーションパラメータセットである
ことを特徴とする請求項１４に記載の方法。
【請求項２１】
前記第２のパラメータセットは、新規のパラメータセット、あるいは更新されている第１のパラメータセット、あるいは前記第１のパラメータセットを使用するための指示である
ことを特徴とする請求項２０に記載の方法。
【請求項２２】
前記第２のパラメータセットは、前記第１のパラメータセットを置換する、あるいは、前記第１のパラメータセットは保存され、かつ非アクティブに設定され、かつ前記第２のパラメータセットは使用するために記憶される
ことを特徴とする請求項２０または２１に記載の方法。
【請求項２３】
マルチキャスト／ブロードキャストサービスをユーザノード（５０）へ提供するホームオペレーションドメイン（ホームＯＤ）を有するオペレーションドメイン間でローミングし、マルチキャスト／ブロードキャストサービスへアクセスするユーザノード（５０）をサポートするように構成されているマルチキャスト／ブロードキャストサーバ（４０）であって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記マルチキャスト／ブロードキャストサーバ（４０）は、
前記訪問先オペレーションドメイン（訪問先ＯＤ）において少なくとも１つのマルチキャスト／ブロードキャストサービスを提供するために、前記訪問先オペレーションドメインに存在する前記ユーザノード（５０）によってトリガされるリクエストを受信するための受信部（４１）と、
前記訪問先オペレーションドメイン（訪問先ＯＤ）において前記ユーザノード（５０）へ前記少なくとも１つのマルチキャスト／ブロードキャストサービスを提供するためのプロビジョン方法を決定するための決定ユニット（４２）と、
前記プロビジョン方法に従って、前記訪問先オペレーションドメイン（訪問先ＯＤ）において前記少なくとも１つのマルチキャスト／ブロードキャストサービスへアクセスするための第２のパラメータセットを判定する評価ユニット（４４）と、
前記第２のパラメータセットについての情報を前記ユーザノード（５０）へ通知する送信ユニット（４５）とを備え、
前記決定ユニットは、前記第１パラメータのセットと、前記訪問先オペレーションドメイン（訪問先ＯＤ）におけるマルチキャスト／ブロードキャストサービスのプロビジョン用のルール（４３）と、前記ユーザノード（５０）によってトリガされる前記リクエストとを検討するように構成されている
ことを特徴とするマルチキャスト／ブロードキャストサーバ（４０）。
【請求項２４】
マルチキャスト／ブロードキャストサービスをユーザノード（５０）へ提供するホームオペレーションドメイン（ホームＯＤ）を有するオペレーションドメイン間で、ローミングし、マルチキャスト／ブロードキャストサービスへアクセスするように構成されているユーザノード（５０）であって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記ユーザノード（５０）は、
前記訪問先オペレーションドメイン（訪問先ＯＤ）において少なくとも１つのマルチキャスト／ブロードキャストサービスを提供するための前記マルチキャスト／ブロードキャストサーバ（４０）へリクエストをトリガするためのトリガ部（５１）と、
前記マルチキャスト／ブロードキャストサーバ（４０）から、第２のパラメータセットを受信するための受信部（５２）と、
前記受信した第２のパラメータセットに従って、当該ユーザノード（５０）で、前記第１のパラメータセットを構成するための構成部（５３）と、
マルチキャストサービスへアクセスするためのアクセス部（５４）とを備え、
前記第２のパラメータセットは、前記ユーザノードによってトリガされるリクエストと、マルチキャスト／ブロードキャストサービスのプロビジョンに関する前記訪問先オペレーションドメインのルールと、前記第１のパラメータセットに基づいていて、
前記受信した第２のパラメータセットは、前記少なくとも１つのマルチキャスト／ブロードキャストサービスへアクセスるために使用される
ことを特徴とするユーザノード（５０）。
【請求項２５】
マルチキャスト／ブロードキャストサービスをユーザノード（５０）へ提供するホームオペレーションドメイン（ホームＯＤ）を備え、オペレーションドメイン間でローミングし、マルチキャスト／ブロードキャストサービスへアクセスするユーザノード（５０）をサポートするように構成されているシステムであって、
前記マルチキャスト／ブロードキャストサービスへのアクセスは、前記ユーザノード（５０）が訪問している訪問先オペレーションドメイン（訪問先ＯＤ）と前記ユーザノード（５０）が関与するマルチキャスト／ブロードキャストサーバ（４０）とを用いて、第１のパラメータセットによって実行されるものであり、
前記システムにおいて、
マルチキャスト／ブロードキャストサーバ（４０）は、請求項１に従う方法を実行する、請求項２３に従うものであり、
前記ユーザノード（５０）は、請求項１４に従う方法を実行する、請求項２４に従うものであり、
前記システムは、前記ユーザ（５０）と、前記マルチキャスト／ブロードキャストサーバ（４０）間で、情報（６１、６２、６４、６５）を交換するためのインタフェースを備える
ことを特徴とするシステム。
【国際調査報告】
2008544662.tif 000010
2008544662.tif 000011
2008544662.tif 000012